(57)【要約】テザー航空機を着陸させる方法、及び発射及び着陸装置。本発明はテザー航空機を着陸させる方法に関し、・前記航空機で地上サイトに近づき、それにより航空機と地上サイトの間のテザー（９２）の自由長さが所定値に達するまで当該テザーの自由長さを短くし、・前記航空機で地上サイトにさらに近づき、それによりテザーの自由長さを前記所定値に固定したままにし、・テザーを保持してループを形成し、当該ループは移動する航空機によって張られて、締め付けられ、及び・前記ループの前記締め付けを弱め、航空機が地上サイトに立つまで航空機を減速させる、というステップを有する。本発明はさらに、航空機用の滑走路（１２）、テザー用のウィンチ（６２）、及び、ウィンチと滑走路に近づく航空機の間でテザーのループを形成する保持装置（４２，４６）を有する、テザー航空機のための発射及び着陸装置（１）であって、当該保持装置は、前記航空機を減速するために、アプローチ及び着陸の際の航空機の移動のために生じる前記ループの締め付けを弱める弱め装置（４１）を特徴とする。
2020516532.tif 000002
【特許請求の範囲】
【請求項１】
テザー航空機を着陸させる方法であって、
−前記航空機で地上サイトに近づき、それにより航空機と地上サイトの間のテザーの自由長さが所定値に達するまで当該テザーの自由長さを短くし、
−前記航空機で地上サイトにさらに近づき、それによりテザーの自由長さを前記所定値に固定したままにし、
−テザーを保持してループを形成し、当該ループは移動する航空機によって張られて、締め付けられ、及び
−前記ループの前記締め付けを弱め、航空機が地上サイトに立つまで航空機を減速させる方法。
【請求項２】
減速された前記航空機が前記地上サイトでの所定の目標エリア内に立つように、固定されたテザーの自由長さの前記値は予め決定される、ことを特徴とする請求項１に記載の方法。
【請求項３】
前記航空機は風に抗して前記地上サイトにアプローチし、及び／又は、前記地上サイトでの前記航空機用の滑走路が前記航空機のアプローチの方向に整列するように指向される、ことを特徴とする請求項１又は２に記載の方法。
【請求項４】
航空機用の滑走路、テザー用のウィンチ、及び、前記ウィンチと前記滑走路に近づく前記航空機の間でテザーのループを形成する保持装置を有する、テザー航空機のための発射及び着陸装置であって、
前記保持装置は、前記航空機を減速するために、アプローチ及び着陸の際の前記航空機の移動のために生じる前記ループの締め付けを弱める弱め装置を特徴とする装置。
【請求項５】
前記保持装置はローラを備えた可動スライダーを有し、前記ローラの軸が、本質的に水平に、前記スライダーの移動の方向と交差して整列され、前記スライダーの前記移動の方向は前記滑走路と一直線を成す、ことを特徴とする請求項４に記載の発射及び着陸装置。
【請求項６】
前記ローラが、両方の端部に向かう大きめの直径と中間では小さめの直径を有する、その軸に沿う様々な直径を有する、ことを特徴とする請求項５に記載の発射及び着陸装置。
【請求項７】
前記ローラは、少なくとも１つの可撓要素によって互いに半径方向に結合された２つの同心管を有し、前記ローラは前記内側管を介して前記スライダーにて支持され、前記ローラは前記外側管を介して前記テザーと係合する、ことを特徴とする請求項５又は６に記載の発射及び着陸装置。
【請求項８】
前記弱め装置は、緩衝装置、特に油圧緩衝装置を有する、ことを特徴とする請求項４〜７のいずれか一項に記載の発射及び着陸装置。
【請求項９】
前記弱め装置が、前記スライダーを前記緩衝装置に接続するためにプーリーアセンブリを有し、前記プーリーアセンブリは特に、少なくとも１つのケーブル及び前記ケーブルを案内するための少なくとも１つのプーリーを有する、ことを特徴とする請求項８に記載の発射及び着陸装置。
【請求項１０】
前記保持装置が、少なくともテザーの最大保持のための延長位置において及び／又はローラとテザーが係合しない駐車位置において前記スライダーを位置決めするための位置決め機構を有する、ことを特徴とする請求項４〜９のいずれか一項に記載の発射及び着陸装置。
【発明の詳細な説明】
【技術分野】
【０００１】
本発明は、テザー航空機（係留航空機）を着陸させる方法に関する。本発明はさらに、テザー航空機用の発射及び着陸装置に関する。
【背景技術】
【０００２】
テザー航空機は例えば、飛行風力エネルギー生成から知られている。出願人によるそれぞれの装置の例が特許文献１に詳細に記載されている。
【先行技術文献】
【特許文献】
【０００３】
【特許文献１】ＥＰ２６３１４６８Ａ１
【発明の概要】
【発明が解決しようとする課題】
【０００４】
このような装置の効率的で経済的な操作のために、特に、航空機の発射、着地及び地上操縦の間の高度なオートメーションが望ましい。それゆえ、本発明の目的はテザー航空機の発射及び／又は着地及び／又は地上操縦の間の高度なオートメーションを可能にすることである。
【課題を解決するための手段】
【０００５】
本発明によれば、この目的は、以下のステップを有するテザー航空機を着陸させる方法によって達成される。
−前記航空機で地上サイトに近づき、それにより航空機と地上サイトの間のテザーの自由長さが所定値に達するまで当該テザーの自由長さを短くし、
−前記航空機で地上サイトにさらに近づき、それによりテザーの自由長さを前記所定値に固定したままにし、
−テザーを保持してループを形成し、当該ループは移動する航空機によって張られて、締め付けられ、及び
−前記ループの前記締め付けを弱め、航空機が地上サイトに立つまで航空機を減速させる。
【０００６】
テザーの使用により航空機を減速させることが本発明の一面である。これにより航空機は接地（着陸）前に及び後に同様に、言い換えれば、飛行中と地上での滑走の両方で減速することができる。航空機はしたがって、飛行経路の制約を解放されてアプローチでき、人間オペレータによる監督及び／又は介入の必要無くアプローチ中に航空機の完全な自律飛行が可能になる。
【０００７】
飛行中の減速の場合、航空機が失速速度以下に減速し、それにより滑走路までの残りの距離落下することが起こりうる。好ましくは、航空機は、本発明により提供される利益を完全に探査するために、このような負荷条件のために設計された着陸装置を具備している。
【０００８】
本発明の別な面は、航空機の運動エネルギーの大部分がテザーに形成されたループの締付けを弱めることで四散され、これが有益には地上装置の使用によって達成されることである。これにより、航空機が飛行しているときであっても、この装置のメンテナンスがいつでも可能になる。よって、この装置のメンテナンスは、例えば飛行風力エネルギー生成のために、航空機の有用性を弱めない。
【０００９】
本発明のまた別な面は、航空機がその位置に依存して減速されることである。特に、固定の自由長さを有するテザーが張られ、テザーのループが締め付け始められるときに、減速は開始する。その際、航空機がそれ以上移動しなくなるまで減速は続く。
【００１０】
テザーの長さは所定値又は所定量に固定されているので、ループが構造により許可される最小サイズまで減少したとき、航空機は最も遅く止まる。
【００１１】
減速した航空機が前記地上サイトの所定の目標エリア内で停止するように、テザーの固定の自由長さのための前記値が予め定められると、航空機の地上操縦は単純化され、さらに自動化される。特に、自動システムは、航空機が着陸後に所定の目標エリアに立つという事実に頼る。したがって、本発明は航空機のより簡単な、それゆえ自動化しやすい地上操縦を可能にする。
【００１２】
航空機が風に抗して地上サイトに近づくと有利であり、それは安定した飛行条件及びアプローチの際の低めの許容可能な航空機速度の観点で有益である。一般に、風に抗するアプローチは安全性のゆとりを増加でき、それにより自動化された着陸プロセスのための飛行経路の制約の減少をもたらす。
【００１３】
前記地上サイトでの航空機用の滑走路が航空機のアプローチの方向に整列する（一直線を成す）ように指向されると、さらに有益であり、これが複雑な飛行操縦の必要性を回避する。一般に、風に抗するアプローチは安全性のゆとりを増大させ、それにより自動着陸プロセスのための飛行経路に対する制約を減少させる。
【００１４】
航空機が風に抗してアプローチする一方、滑走路はアプローチの方向と整列していると、最も有益である。
【００１５】
本発明の目的はまた、航空機用の滑走路、テザー用のウィンチ、及び、ウィンチと滑走路に近づく航空機の間でテザーのループを形成する保持装置を有する、テザー航空機のための発射及び着陸装置であって、当該保持装置は、前記航空機を減速するために、アプローチ及び着陸の際の航空機の移動のために生じる前記ループの締め付けを弱める弱め装置（制動装置）を特徴とする装置によっても達成される。
【００１６】
本発明に従う発射及び着陸装置は特に、前述したような本発明に従うテザー航空機を着陸させる方法に従って作動するよう設計、構成されている。
【００１７】
滑走路を風と及び／又は航空機のアプローチの方向と整列させるために、滑走路は例えば垂直軸周りに回転可能である。
【００１８】
本発明の好ましい実施形態では、テザー用の案内装置は、滑走路の略中央に及び／又は滑走路の回転軸の近くに配置される。これにより、滑走路が方向づけ可能又は回転可能であっても、案内装置は固定して配置できる。
【００１９】
テザーの急激な折り曲がり無しに空挺航空機に向かうテザーのストレート案内を可能にするために、案内装置が好ましくは回転可能な滑走路と同軸に回転可能であるとさらに好ましい。
【００２０】
本発明の好ましい実施形態では、保持装置はローラを備えた可動スライダーを有し、前記ローラの軸が、本質的に水平に、前記スライダーの移動の方向と交差して整列される。例えば、スライダーの前記移動の方向は滑走路と一直線を成す。この配置は、テザーにループを形成するための最も簡単で安定した構造をもたらす。
【００２１】
前記ローラが、両方の端部に向かって大きめの直径と中間では小さめの直径を有する、その軸に沿う様々な直径を有するとき、ローラの上に延びるテザーは更なるラテラルガイド無しに自己整列により案内される。
【００２２】
本発明の好ましい実施形態では、前記ローラは、少なくとも１つの可撓要素によって互いに半径方向に結合された２つの同心管を有し、ローラは前記内側管を介してスライダーにて支持され、ローラは前記外側管を介してテザーと係合する。この実施形態では、可撓要素は、装置に作用するピーク力を弱めるためのクッションとして機能する。例えば、ループにおいて最初に緩んだテザーがしっかり締められ、ローラと急に係合する。
【００２３】
本発明の特に好ましい実施形態では、前記弱め装置は、航空機の運動エネルギーを四散させるために緩衝装置（ショックアブソーバー）、特に油圧緩衝装置を有する。
【００２４】
前記弱め装置がスライダーを緩衝装置に接続するためにプーリーアセンブリを有するとさらに好ましい。ここで、プーリーアセンブリは特に、少なくとも１つのケーブル及び前記ケーブルを案内するための少なくとも１つのプーリーを有する。この実施形態の１つの利点は、プーリーブロックアセンブリがスライダーと緩衝装置の間で非単位比を有する伝動装置（トランスミッション）をもたらし、緩衝装置の比較的短いストロークに対応するようにスライダー移動の比較的長い距離を可能にする点である。別な利点は、プーリーブロックアセンブリが幾らかの可撓性を備え、これがピーク力を弱めることを助長する点である。
【００２５】
本発明の別な好ましい実施形態では、保持装置が、少なくともテザーの最大保持のための延長位置において及び／又はローラとテザーの非係合のための駐車位置において前記スライダーを位置決めするための位置決め機構を有する。
【００２６】
以下では、図面に則して例示の実施形態に基づき、本発明の一般的な趣旨を制限せずに本発明を説明する。
【図面の簡単な説明】
【００２７】
【図１】本発明に従う発射及び着陸装置の例示の実施形態を概略的に示す図である。
【図２】図１の発射及び着陸装置の断面側面図を概略的に示す図である。
【図３】本発明に従う発射及び着陸装置用の弱め機構を概略的に示す図である。
【図４】本発明に従う別な発射及び着陸装置の断面側面図を概略的に示す図である。
【図５】本発明に従うテザー航空機を発射するための例示のシーケンスを概略的に示す図である。
【図６】本発明に従うテザー航空機を着陸するための例示のシーケンスを概略的に示す図である。
【図７】本発明に従うテザー航空機を地上操縦するための例示のシーケンスを概略的に示す図である。
【図８】本発明に従う自動地上操縦のための着陸装置の詳細を概略的に示す図である。す図である。
【発明を実施するための形態】
【００２８】
図面において、同じ又は類似のタイプの要素又はそれぞれ対応する部品は同じ参照番号を備え、それら要素を再び紹介する必要が無いようにしている。
【００２９】
図１は、本発明に従う発射及び着陸装置１の例示の実施形態を示す。発射及び着陸装置１はプラットフォーム１０を有する。プラットフォーム１０は、テザー航空機９０用の滑走路１２として機能する。テザー９２は、基本的にプラットフォーム１０の中央に位置する旋回機構６０によってプラットフォームを通って案内される。
【００３０】
旋回機構６０の近くでテザー９２を捕捉し、当該テザー９２のループを形成するために、ローラ４６を備えたスライダー４２が複数のレール４４に沿って移動可能である。レール４４はスライダー４２のための延長位置をもたらし、この位置でスライダー４２は旋回機構から最大距離を置いて位置し、それゆえテザー９２の保持が最大化される。レール４４は好ましくは、スライダー４２のための駐車位置ももたらし、この位置でローラ４６がテザー９２から外れる。
【００３１】
スライダー４２及びローラ４６を、近づいてくる航空機９０の着陸装置９４との衝突から守るために傾斜路（スロープ）４８が設けられている。
【００３２】
航空機９０のアプローチの方向は矢印９１で示される。
【００３３】
近づいてくる航空機９０によって見えるように、滑走路１２の遠端には、航空機９０が着陸及び減速後に停止することになる目標エリア１４が設けられている。目標エリア１４は案内レール８０によって側面（側方）を境界付けられている。地上操縦の際にプラットフォーム１０を横断して進むときに目標エリア１４内に留まるように、当該案内レール８０は航空機９０を制限する。
【００３４】
発射及び着陸装置１はまた、航空機９０を発射するための２つのカタパルトアーム３０を備えたカタパルトを有する。この目的のために、各々のカタパルトアーム３０はそれぞれ、航空機９０と係合する、例えば航空機の着陸装置９４と係合するシャトル３４を有し、それによりカタパルトアーム３０に沿って航空機９０を加速させることが可能となる。
【００３５】
図２は、線Ａ−Ａに沿って図１に示される発射及び着陸装置１の断面図を示す。見て分かるように、プラットフォーム１０は円形レール２２に載った輪軸２０を有し、それによりプラットフォーム１０は、図２において一点鎖線で示される垂直軸周りを回転することができる。
【００３６】
旋回機構６０の下には、テザー９２のためのウィンチドライブ６４を備えたウィンチ６２が設置されている。テザー９２をプラットフォーム１０の回転軸に沿って案内することで、ウィンチ６２及びウィンチドライブ６４をプラットフォーム１０の下に固定して位置決めすることができる。しかしながら、当業者であれば、これがただの例であり、ウィンチ６２及びウィンチドライブ６４が回転可能なプラットフォーム１０と一緒に移動するようにアレンジできると察知するだろう。
【００３７】
さらに図２に示されているのは、スライダーレール４４に沿ってスライダー４２の移動を弱めるように構成及び設計された、スライダー４２に接続された弱め機構４１である。
【００３８】
カタパルトシャトル３４をカタパルトアーム３０に沿ってそれぞれ駆動させるために、カタパルト装置３２が設置されている。当業者は、２つのカタパルトアーム３０の２つのシャトル３４のために１つのカタパルトドライブ３２を有することは単なる例示の実施形態であると認識するだろう。本発明の別な実施形態では、別個のカタパルトドライブ３２がシャトル３４の各々のために予知される一方、他の実施形態は１つのシャトル３４及び１つのカタパルトドライブ３２を備えたちょうど１つのカタパルトアーム３０を有してもよい。
【００３９】
ローラ４６を備えたスライダー４２及び弱め機構４１は、図３に詳細に示されるテザー保持装置の一部である。スライダー４２は２つのスライダーレール４４に沿って移動可能である。スライダーレール４４の内部では、スライダーレール４４の一方の端部で滑車５４の上に延びるそれぞれの駆動ベルト（見えない）が延び、スライダー４２の位置決め用のそれぞれのスライダードライブ５５によりスライダーレール４４に沿って駆動される。
【００４０】
同様に、傾斜路４８は、それぞれの傾斜路ドライブ５６によって駆動される複数のベルトによってスライダーレール４４に沿って移動可能である。特に、スライダー４２及び傾斜路４８は互いから独立して位置決めできる。当業者は、本発明の範囲内において共通のドライブによる同時移動のためにスライダー４２と傾斜路４８を結合することも可能であると認識するだろう。
【００４１】
今記載したようなスライダー４２を位置決めするための機構に加えて、スライダー４２はプーリーブロックアセンブリを介して緩衝装置５０に連結される。例えば、緩衝装置５０はシリンダー内を移動するピストンを有する。
【００４２】
図３に示される例示の実施形態では、プーリーブロックアセンブリは、緩衝装置５０の移動可能な部分に配された動的ブロック５１、緩衝装置５０に対して位置を固定された静的ブロック５２、及びプーリーブロック５１，５２の上に延び、スライダー４２に向かって接続された複数のケーブルを有する。これらケーブルは、単純化の理由のために図３には完全には示されていない。プーリーブロックアセンブリはそれぞれスライダー４２と緩衝装置５０の間の伝動装置として機能する。
【００４３】
前記伝動装置は、スライダー４２によって移動する距離と緩衝装置５０のストロークの非統一比、例えば６：１の比をもたらす。同時に、伝動装置は、スライダー４２及び／又はスライダー４２のローラ４６に作用する急激な力を弱めるために、スライダー４２と緩衝装置５０の間に或る可撓性を導入する。
【００４４】
スライダー４２がスライダーレール４４に沿って移動するとき、緩衝装置５０は圧縮される。緩衝装置５０を緩め、それによりスライダー４２を後方へ移動させるために、動的プーリーブロック５１に作用するプーリーブロックドライブ５３が備えられる。
【００４５】
実際は、プーリーブロックドライブ５３とスライダードライブ５５は潜在的に互いに相互作用し、互いをブロックする。ゆえに、少なくとも１つの前記ドライブ５３，５５を最小逆トルクに切り替えることができ、及び／又は、例えばクラッチ及び／又はトルクリミッターによってスライダー４２から機械的に外すことができると有益である。
【００４６】
図４は、図２に描かれた絵と同様の断面図にて本発明の別な実施形態を示す。この実施形態では、弱め機構４１及びローラ４６はそれぞれウィンチ６２とウィンチドライブ６４と固定的に位置決めされている。これにより、回転可能なプラットフォーム１０上の要素の数が減少する。この実施形態では、殆ど完全なプラットフォーム直径が滑走路１２のために利用できるように、旋回機構６０はプラットフォーム１０の外周の近くに位置している。プラットフォーム１０上の滑車６５及び固定配置された滑車６６が、テザー９２を旋回機構６０からローラ４６を越えてウィンチ６２に案内するために使用される。
【００４７】
図５ａ〜ｃは、テザー航空機９０の本発明に従う自動発射のシーケンスを示す。図５ａは、図１〜３に記載の本発明に従う発射及び着陸装置１を示し、航空機９０は滑走路１２の一方の端部に位置し、着陸装置９４はカタパルトシャトル３４と係合しており、スライダー４２は航空機９０の下に位置している。航空機９０は、航空機９０が離陸するのに十分な速さの速度にカタパルトシャフト３４によって加速され（図５ｂ）、それによりウィンチ６２からテザー９２を引っ張る。今まで、スライダー４２は基本的に初期位置に留まっており、弱め機構４１が結局、テザー９２を引き出す間に生じるピーク力をなだらかにする。
【００４８】
図５ｃは、本発明に従う発射及び着陸装置１の及び航空機９０の発射シーケンスの間の飛行経路の平面図を示す。見て分かるように、滑走路１２は矢印５で示される風に抗して航空機９０を出発させるために整列されている。次に、カタパルトスタートから得られる航空機９０の初速度は、発射及び着陸装置１の風下側に向かってプラットフォーム１０までの増大する距離を有する弧を描いて飛ぶように使用される。一旦航空機９０が発射及び着陸装置１の風下に来ると、ウィンチ６２はウィンチドライブ６４により駆動され、航空機９０を風５に抗してプラットフォーム１０に向かって引っ張り、航空機９０は高度を上げることができる。
【００４９】
同時に、スライダー４２はスライダーレール４４に沿って移動し、結局プラットフォーム１０の中央の旋回機構６０を横切り、それによりテザー９２から外される。このようにして、スライダー４２のローラ４６は通常の飛行操作の間テザー９２に触らず、これがそれぞれローラ４６及び／又はテザー９２の不要な摩耗を有益に回避させる。
【００５０】
一旦十分な高度に達すると、航空機９０は、例えば電力生成のための風力エネルギーを採取するためにいつでも通常の飛行操作ができる。このような操作は例えば特許文献１に詳細に記載されている。特に図２ａ及び２ｂとこの文献内の対応する記載を参照されたい。
【００５１】
航空機９０の通常の飛行操作の間、プラットフォーム１０又は滑走路１２はそれぞれ、好ましくは風５と一直線を成したままである。航空機９０の飛行パターンに追従するために旋回機構６０がプラットフォーム１０に対して回転し、プラットフォーム１０を通るテザー９２の真っ直ぐな案内が保証されるとさらに有益であり、これはテザー９２の摩耗を最小化させる。
【００５２】
テザー航空機９０の本発明に従う自動着陸のシーケンスが図６ａ〜ｄにより描かれている。
【００５３】
図６ａは、本発明に従う発射及び着陸装置１に向かう航空機９０の初期アプローチを示す。アプローチの間、テザー９２はウィンチ６２及びウィンチドライブ６４によって巻き取られ、航空機９０とウィンチ６２の間のテザー９２の自由長さが短くなる。この局面の間、テザー９２は例えば顕著な引張力が航空機９０に加わることなく略真っ直ぐに維持される。
【００５４】
テザー９２の自由長さが所定値に達すると、ウィンチ６２の操作は止められ、テザー９２の自由長さを一定に保つためにウィンチ６２はロックされる。それに代えて、例えば旋回機構６０に又はその近くに位置するテザー９２に作用するブレーキが閉じられ、それによりテザー９２にきつく保持される。この時点で、スライダーはテザー９２の最大保持のための極限位置に位置決めされ、テザー９２はスライダー４２のローラ４６の下に延びる。テザー９２の自由長さが固定され、航空機９０がまだ移動していることで、航空機９０がスライダー４２の上に移動すると、テザー９２は緩む。この着陸の局面は図６ｂに描かれている。
【００５５】
航空機９０が飛行時に又は滑走路１２上の滑走・ローリングにおいてスライダー４２を横切るとき、ループが、ローラ４６の上の旋回機構６０から航空機９０に延びるテザー９２において形成される。このループ内のテザー９２は、上述したように初めは緩んでおり（図６ｂ参照）、移動する航空機９０によって張られる（図６ｃ参照）。
【００５６】
ループ内のテザー９２が真っ直ぐにされると、移動する航空機９０はローラ４６を介してスライダー４２を引っ張っており、それはまた緩衝装置５０にも作用している。したがって、航空機９０の運動エネルギーは緩衝装置５０によって四散される。航空機９０がまだ飛んでいるか、既に地面に接触しているか、滑走路１２上を滑走しているかにかかわらず、プラットフォーム１０上の滑走路１２の端部の前で目標１４内で完全に停止するまで、航空機９０はそれにより減速される（図６ｄ参照）。
【００５７】
航空機９０が着陸して、目標エリア１４内で停止するまで減速された後、本発明によればさらに、航空機９０の自動地上操縦がもたらされ、特にプラットフォーム１０の先端に航空機９０を整列させ、固定する。
【００５８】
この目的のために、プラットフォーム１０は目標エリア１４の一方のサイドに複数の案内レール８０を有する。これら案内レール８０は漏斗形状に配置され、漏斗の広めのサイドはプラットフォーム１０の縁に向かって指向しており、漏斗の狭いサイドは旋回機構６０に向かって指向している。
【００５９】
ウィンチ６２とウィンチドライブ６４をテザー９２と一緒に使用することで、図７ａ〜ｃに示されるように、目標エリア１４に立っている航空機９０は漏斗の狭いサイドの方へ後方に引っ張られる。航空機９０は結局案内レール８０のうちの１つに対して引っ張られる。案内レール８０は特に、航空機９０を目標エリア１４内に閉じ込めるステップ又は縁を備える。
【００６０】
例えば、図８に示されるように、航空機９０の着陸装置９４は車輪９５に隣接する複数の案内装置９７を具備している。それらは案内レール８０と係合するのに適しており、着陸装置９４が前記案内レール８０を越えて転がることを防ぐ。
【００６１】
案内レール８０の漏斗形状配置のために、航空機９０は、テザー９２により後方へ引っ張られると、目標エリア１４の漏斗形状の狭いサイドの内側における定められた位置に向かって案内される。このようにして、航空機９０は例えば旋回機構６０のすぐ上の定められた向きを有する目標位置にもたらされ、そこで航空機９０は駐車のために固定されるか、再発射のためにカタパルト装置に装填される。
【符号の説明】
【００６２】
１  発射及び着陸装置
５  風
１０  プラットフォーム
１２  滑走路
１４  目標エリア
２０  輪軸
２２  円形レール
３０  カタパルトアーム
３２  カタパルトドライブ
３４  カタパルトシャトル
４１  弱め機構
４２  スライダー
４４  スライダーレール
４６  ローラ
４８  傾斜路
５０  緩衝装置
５１  動的プーリーブロック
５２  静的プーリーブロック
５３  プーリーブロックドライブ
５４  滑車
５５  スライダードライブ
５６  傾斜路ドライブ
６０  旋回機構
６２  ウィンチ
６４  ウィンチドライブ
６５  滑車
６６  滑車
８０  案内レール
９０  航空機
９１  アプローチの方向
９２  テザー
９４  着陸装置
９５  車輪
９７  案内装置
【図１】
2020516532.tif 000003
【図２】
2020516532.tif 000004
【図３】
2020516532.tif 000005
【図４】
2020516532.tif 000006
【図５ａ】
2020516532.tif 000007
【図５ｂ】
2020516532.tif 000008
【図５ｃ】
2020516532.tif 000009
【図６ａ】
2020516532.tif 000010
【図６ｂ】
2020516532.tif 000011
【図６ｃ】
2020516532.tif 000012
【図６ｄ】
2020516532.tif 000013
【図７ａ】
2020516532.tif 000014
【図７ｂ】
2020516532.tif 000015
【図７ｃ】
2020516532.tif 000016
【図８】
2020516532.tif 000017
【国際調査報告】
2020516532.tif 000018
2020516532.tif 000019
2020516532.tif 000020